(57)【要約】【課題】省スペース化を実現、および、操作部の使い勝手を向上させることができる加熱調理器を提供すること。【解決手段】加熱調理器は、調理容器を加熱する加熱部と、火力毎に一列に順番に配置された複数の火力操作キーを有する火力操作表示部と、火力操作表示部の操作に基づいて加熱部の火力の設定を行う制御装置と、を備え、火力操作キーは、ユーザーによる接触を検知する接触検知部と、発光する火力表示部と、を備え、制御装置は、接触検知部により、ユーザーが火力操作キーの上面を一方向にスライド移動させたことを検知した場合、火力を設定するとともに、火力表示部により設定された火力に対応する火力操作キーをあらかじめ設定された色で発光させるものである。【選択図】図１
2019090594.tif 000002
【特許請求の範囲】
【請求項１】
調理容器を加熱する加熱部と、
火力毎に一列に順番に配置された複数の火力操作キーを有する火力操作表示部と、
前記火力操作表示部の操作に基づいて前記加熱部の火力の設定を行う制御装置と、を備え、
前記火力操作キーは、
ユーザーによる接触を検知する接触検知部と、
発光する火力表示部と、を備え、
前記制御装置は、
前記接触検知部により、ユーザーが前記火力操作キーの上面を一方向にスライド移動させたことを検知した場合、
火力を設定するとともに、前記火力表示部により設定された火力に対応する前記火力操作キーをあらかじめ設定された色で発光させる
ことを特徴とする加熱調理器。
【請求項２】
前記制御装置は、
火力ＯＦＦの状態において、
前記接触検知部により、火力「０」に対応する前記火力操作キーを始点として、ユーザーが前記火力操作キーの上面を一方向にスライド移動させたことを検知した場合、
火力を設定するとともに、前記火力表示部により設定された火力に対応する前記火力操作キーをあらかじめ設定された色で発光させる、火力ＯＮ処理を行う
ことを特徴とする請求項１に記載の加熱調理器。
【請求項３】
前記制御装置は、
火力を、スライド移動の終点の前記火力操作キーに対応する火力に設定する
ことを特徴とする請求項２に記載の加熱調理器。
【請求項４】
前記制御装置は、
前記火力ＯＮ処理中において、
前記接触検知部により、ユーザーが火力「０」に対応する前記火力操作キーの上面をダブルタップしたことを検知した場合、
火力を、あらかじめ設定された火力に設定するとともに、前記火力表示部により設定された火力に対応する前記火力操作キーをあらかじめ設定された色で発光させる
ことを特徴とする請求項２または３に記載の加熱調理器。
【請求項５】
前記制御装置は、
火力ＯＦＦの状態において、
前記接触検知部により、ユーザーが前記火力操作キーの上面を一方向にスライド移動させたことを検知した場合、
火力を、スライド移動した数と同じ数に設定するとともに、前記火力表示部により設定された火力に対応する前記火力操作キーをあらかじめ設定された色で発光させる、火力ＯＮ処理を行う
ことを特徴とする請求項１に記載の加熱調理器。
【請求項６】
前記制御装置は、
前記火力ＯＮ処理中において、
前記接触検知部により、ユーザーがいずれかの前記火力操作キーの上面をダブルタップしたことを検知した場合、
火力を、ダブルタップされた前記火力操作キーに対応する火力に設定するとともに、前記火力表示部により設定された火力に対応する前記火力操作キーをあらかじめ設定された色で発光させる
ことを特徴とする請求項５に記載の加熱調理器。
【請求項７】
前記制御装置は、
火力ＯＦＦの状態において、
前記接触検知部により、ユーザーがいずれかの前記火力操作キーの上面をタップしたことを検知した場合、前記火力表示部により全ての前記火力操作キーを前記あらかじめ設定された色以外の色で発光させた後、前記火力ＯＮ処理を行う
ことを特徴とする請求項２〜６のいずれか一項に記載の加熱調理器。
【請求項８】
前記火力操作表示部は、火力ＯＮまたは火力ＯＦＦを切り替える火力入切キーを備え、
前記制御装置は、
火力ＯＦＦの状態において、ユーザーが前記火力入切キーの上面をタップしたことを検知した場合、火力を、あらかじめ設定された値に設定して火力ＯＮの状態とし、
火力ＯＮの状態において、ユーザーが前記火力入切キーの上面をタップしたことを検知した場合、火力を、設定なしにして火力ＯＦＦの状態とする
ことを特徴とする請求項１に記載の加熱調理器。
【請求項９】
前記火力入切キーは、最も弱い火力に対応する前記火力操作キーの隣に、少なくとも一つの前記火力操作キーの幅以上離れた位置に配置されている
ことを特徴とする請求項８に記載の加熱調理器。
【請求項１０】
前記制御装置は、
火力ＯＮ状態において、
前記接触検知部により、ユーザーが前記火力操作キーの上面を一方向にスライド移動させたことを検知し、かつ、設定中の火力が接触を検知した前記火力操作キーに対応する火力に含まれていたら、
火力を、スライド移動の終点の前記火力操作キーに対応する火力に設定するとともに、前記火力表示部により設定された火力に対応する前記火力操作キーをあらかじめ設定された色で発光させる、火力変更処理を行う
ことを特徴とする請求項１〜９のいずれか一項に記載の加熱調理器。
【請求項１１】
前記制御装置は、
火力ＯＮの状態において、
前記接触検知部により、ユーザーが前記火力操作キーの上面を一方向にスライド移動させたことを検知した場合、
火力を、スライド移動の終点の前記火力操作キーに対応する火力と始点の前記火力操作キーに対応する火力との差分を、設定中の火力に加算した値に設定するとともに、前記火力表示部により設定された火力に対応する前記火力操作キーをあらかじめ設定された色で発光させる、火力変更処理を行う
ことを特徴とする請求項１〜９のいずれか一項に記載の加熱調理器。
【請求項１２】
前記制御装置は、
前記火力変更処理中において、
前記接触検知部により、ユーザーがいずれかの前記火力操作キーの上面をダブルタップしたことを検知した場合、
火力を、ダブルタップされた前記火力操作キーに対応する火力に設定するとともに、前記火力表示部により設定された火力に対応する前記火力操作キーをあらかじめ設定された色で発光させる
ことを特徴とする請求項１０または１１に記載の加熱調理器。
【発明の詳細な説明】
【技術分野】
【０００１】
本発明は、加熱部の火力の操作および火力の表示を行う機能を備えた加熱調理器に関するものである。
【背景技術】
【０００２】
従来、突出した部分を設けることなく、かつ、デザイン上の制約を受けることなく、調理における設定対象の内容を手動により変更することを、直感的で容易な操作により行うことができる加熱調理器が提案されている（例えば、特許文献１参照）。
【０００３】
特許文献１に係る加熱調理器は、調理における設定対象の内容を手動により変更するための操作部を、円周方向に配設され静電容量の変化に応じて動作する複数のタッチスイッチと、これら複数のタッチスイッチを操作するために円周方向に形成された円周操作部とから構成するとともに、使用者が円周操作部を円周方向に移動しながら接触することに応じて複数のタッチスイッチから入力される信号を検知し、この検知結果に基づいて操作部の操作方向を判断する制御回路を備え、突出した部分を不要としたものである。
【先行技術文献】
【特許文献】
【０００４】
【特許文献１】特開２００９−１３９０１９号公報
【発明の概要】
【発明が解決しようとする課題】
【０００５】
しかしながら、特許文献１に係る加熱調理器では、操作部に火力を表示させる機能が含まれておらず、操作部とは別に火力を表示させるスペースを確保しなければならないという課題があった。また、操作部の複数のタッチスイッチが円周方向に配設されているため、火力を一気に大幅に変更したいような場合、指などをスライド移動させづらく、操作部の使い勝手がよくないという課題があった。
【０００６】
本発明は、以上のような課題を解決するためになされたもので、省スペース化を実現、および、操作部の使い勝手を向上させることができる加熱調理器を提供することを目的としている。
【課題を解決するための手段】
【０００７】
本発明に係る加熱調理器は、調理容器を加熱する加熱部と、火力毎に一列に順番に配置された複数の火力操作キーを有する火力操作表示部と、前記火力操作表示部の操作に基づいて前記加熱部の火力の設定を行う制御装置と、を備え、前記火力操作キーは、ユーザーによる接触を検知する接触検知部と、発光する火力表示部と、を備え、前記制御装置は、前記接触検知部により、ユーザーが前記火力操作キーの上面を一方向にスライド移動させたことを検知した場合、火力を設定するとともに、前記火力表示部により設定された火力に対応する前記火力操作キーをあらかじめ設定された色で発光させるものである。
【発明の効果】
【０００８】
本発明に係る加熱調理器によれば、火力操作キーは、ユーザーによる接触を検知する接触検知部と、発光する火力表示部と、を備えているため、火力操作表示部とは別に火力を表示させるスペースを確保する必要がなく、省スペース化を実現することができる。また、火力操作表示部の複数の火力操作キーが火力毎に一列に順番に配置されているため、火力を一気に大幅に変更したいような場合でも、指などをスライド移動させやすく、火力操作表示部の使い勝手を向上させることができる。
【図面の簡単な説明】
【０００９】
【図１】本発明の実施の形態１に係る加熱調理器の斜視図である。
【図２】本発明の実施の形態１に係る加熱調理器の火力操作表示部の構成の第１の例を示す模式図である。
【図３】本発明の実施の形態１に係る加熱調理器の火力操作表示部の構成の第２の例を示す模式図である。
【図４】本発明の実施の形態１に係る加熱調理器の電気的構成を示すブロック図である。
【図５】本発明の実施の形態１に係る加熱調理器の火力操作時の全体の処理を示すフローチャートである。
【図６】本発明の実施の形態１に係る加熱調理器の火力操作時の火力ＯＮ処理の例１を示すフローチャートである。
【図７】本発明の実施の形態１に係る加熱調理器の火力操作時の火力ＯＮ処理の例１を説明する第１の図である。
【図８】本発明の実施の形態１に係る加熱調理器の火力操作時の火力ＯＮ処理の例１を説明する第２の図である。
【図９】本発明の実施の形態１に係る加熱調理器の火力操作時の火力ＯＮ処理の例２を示すフローチャートである。
【図１０】本発明の実施の形態１に係る加熱調理器の火力操作時の火力ＯＮ処理の例２を説明する第１の図である。
【図１１】本発明の実施の形態１に係る加熱調理器の火力操作時の火力ＯＮ処理の例２を説明する第２の図である。
【図１２】本発明の実施の形態１に係る加熱調理器の火力操作時の火力ＯＮ処理の例３を示すフローチャートである。
【図１３】本発明の実施の形態１に係る加熱調理器の火力操作時の火力ＯＮ処理の例４を示すフローチャートである。
【図１４】本発明の実施の形態１に係る加熱調理器の火力操作時の火力ＯＮ処理の例５を示すフローチャートである。
【図１５】本発明の実施の形態１に係る加熱調理器の火力操作時の火力ＯＮ処理の例５を説明する図である。
【図１６】本発明の実施の形態１に係る加熱調理器の火力操作時の火力ＯＮ処理の例６を示すフローチャートである。
【図１７】本発明の実施の形態１に係る加熱調理器の火力操作時の火力変更処理の例１を示すフローチャートである。
【図１８】本発明の実施の形態１に係る加熱調理器の火力操作時の火力変更処理の例１を説明する第１の図である。
【図１９】本発明の実施の形態１に係る加熱調理器の火力操作時の火力変更処理の例１を説明する第２の図である。
【図２０】本発明の実施の形態１に係る加熱調理器の火力操作時の火力変更処理の例２を示すフローチャートである。
【図２１】本発明の実施の形態１に係る加熱調理器の火力操作時の火力変更処理の例２を説明する図である。
【図２２】本発明の実施の形態１に係る加熱調理器の火力操作時の火力変更処理の例３を示すフローチャートである。
【図２３】本発明の実施の形態１に係る加熱調理器の火力操作時の火力変更処理の例４を示すフローチャートである。
【図２４】本発明の実施の形態２に係る加熱調理器の火力操作表示部の構成の第１の例を示す模式図である。
【図２５】本発明の実施の形態２に係る加熱調理器の火力操作表示部の構成の第２の例を示す模式図である。
【図２６】本発明の実施の形態２に係る加熱調理器の火力操作時の全体の処理を示すフローチャートである。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。なお、以下において、上下左右方向および前後方向は、加熱調理器を正面視した状態における方向であるものとする。
【００１１】
実施の形態１．
図１は、本発明の実施の形態１に係る加熱調理器１００の斜視図である。
本実施の形態１に係る加熱調理器１００は、図１に示すように、天板１１、操作部３０、表示部１９、および、火力操作表示部５０を有する上部ユニット１０と、筐体２１およびグリル庫２２を有する下部ユニット２０と、を備えている。
【００１２】
ユーザーは、加熱調理器１００の上面の前方側に配置されている操作部３０を操作して、例えば、調理メニューの選択などを行うことができる。また、表示部１９は、加熱調理器１００の動作状態、および、操作部３０への入力内容などを表示するとともに、ユーザーに加熱調理器１００の状態などを表示するものである。
【００１３】
火力操作表示部５０は、加熱部の火力の操作および火力の表示を行うものである。なお、火力操作表示部５０については後で詳述する。
【００１４】
上部ユニット１０は、天板１１の下側に加熱部（後述する左加熱部２６、右加熱部２７、中央加熱部２８）を有する。加熱部は、例えば誘導加熱コイルであり、誘導加熱コイルは、天板１１の下面側に配置されている。そして、その誘導加熱コイルの上端部が天板１１の下面に微小間隔を置いて近接しており、誘導加熱源となる。
【００１５】
天板１１の加熱部に対応した位置には、調理容器の載置部（左載置部１２、右載置部１３、中央載置部１４）が設けられている。ユーザーは、載置部に調理容器を載置して、調理を行うことができる。天板１１の後方には、吸気口１７および排気口１８が設けられており、これらの上面には、スリット形状のカバー（図示せず）が設置されている。
【００１６】
下部ユニット２０のグリル庫２２は、筐体２１の内部に設けられ、ステンレス、剛板などの金属板により上下左右および後方側の壁面が形成されている。また、グリル庫２２の上部天井付近および底部付近には上下一対の、例えばシーズーヒータなどの輻射式電気加熱源が略水平に広がるように設置されている。
【００１７】
次に、本発明の実施の形態１に係る加熱調理器１００の火力操作表示部５０の構成について説明するが、火力操作表示部５０は、以下に説明する第１の例〜第２の例のいずれの構成であってもよい。
【００１８】
図２は、本発明の実施の形態１に係る加熱調理器１００の火力操作表示部５０の構成の第１の例を示す模式図である。なお、図２は、全ての火力操作キー５１ａが発光した状態を示している。
図２に示すように、火力操作表示部５０は、左右方向の一列に配置された複数の火力操作キー５１ａを備えている。火力操作キー５１ａはそれぞれ、接触検知部５２ａと、火力表示部５３ａと、で構成されている。また、各火力操作キー５１ａの上部には、ガラスまたはエスカッションなどの絶縁体で構成された保護カバー（図示せず）が設けられている。
【００１９】
各火力操作キー５１ａには、左から右に向かって火力を表す数字「０」〜「９」が順番に付されており、「０」が最も弱い火力（火力なし）を表しており、「９」が最も強い火力を表している。つまり、火力操作キー５１ａは、火力毎に一列に順番に配置されている。なお、本実施の形態１では、火力操作表示部５０は、１０個の火力操作キー５１ａで構成されているが、それに限定されず、１０個より少なくてもよいし、１０個より多くてもよい。
【００２０】
接触検知部５２ａは、ユーザーの接触を検知するものであり、例えば電極で構成され、ユーザーが保護カバーを介して電極に接触することで静電容量が変化する静電容量方式のタッチスイッチである。
【００２１】
火力表示部５３ａは、例えばＬＥＤで構成され、火力操作キー５１ａのＯＮまたはＯＦＦ状態に応じて火力操作キー５１ａの全体を発光させるものである。
【００２２】
図３は、本発明の実施の形態１に係る加熱調理器１００の火力操作表示部５０の構成の第２の例を示す模式図である。なお、図３は、全ての火力操作キー５１ｂが発光した状態を示している。
図３に示すように、火力操作表示部５０は、左右方向の一列に配置された複数の火力操作キー５１ｂを備えている。火力操作キー５１ｂはそれぞれ、接触検知部５２ｂと、火力表示部５３ｂと、で構成されている。また、各火力操作キー５１ｂの上部には、ガラスまたはエスカッションなどの絶縁体で構成された保護カバー（図示せず）が設けられている。
【００２３】
各火力操作キー５１ｂには、左から右に向かって火力を表す数字「０」〜「９」が順番に付されており、「０」が最も弱い火力（火力なし）を表しており、「９」が最も強い火力を表している。つまり、火力操作キー５１ｂは、火力毎に一列に順番に配置されている。なお、本実施の形態１では、火力操作表示部５０は、１０の火力操作キー５１ｂで構成されているが、それに限定されず、１０より少なくてもよいし、１０より多くてもよい。
【００２４】
接触検知部５２ｂは、ユーザーの接触を検知するものであり、例えば電極で構成され、ユーザーが保護カバーを介して電極に接触することで静電容量が変化する静電容量方式のタッチスイッチである。
【００２５】
火力表示部５３ｂは、例えばＬＥＤで構成され、火力操作キー５１ａのＯＮまたはＯＦＦ状態に応じて火力操作キー５１ｂの一部を発光させるものである。
【００２６】
なお、以下において、火力操作キー５１ａ、５１ｂの総称を火力操作キー５１とし、接触検知部５２ａ、５２ｂの総称を接触検知部５２とし、火力表示部５３ａ、５３ｂの総称を火力表示部５３とする。
【００２７】
図４は、本発明の実施の形態１に係る加熱調理器１００の電気的構成を示すブロック図である。
【００２８】
次に、加熱調理器１００の電気的構成について、図４を参照しながら説明する。
説明する。
【００２９】
加熱調理器１００は、操作部３０の電源キー（図示せず）の操作に基づいて、商用電源などの外部の交流電源６１から電力が供給される。電源回路４４は、交流電源６１から供給された電力を電圧変換など行ってから制御装置４０に供給するものである。
【００３０】
制御装置４０は、例えばマイクロコンピュータなどで構成され、演算などの各種データ処理を行い、加熱調理器１００全体を制御するものである。後述するように、制御装置４０は、火力操作表示部５０の操作に基づいて加熱部の火力の設定を行う。
【００３１】
左加熱部制御回路４６、右加熱部制御回路４７、中央加熱部制御回路４８は、制御装置４０からの指示に基づいて駆動し、交流電源６１からの電力を高周波電力に変換して、左加熱部２６、右加熱部２７、中央加熱部２８にそれぞれ供給する回路である。
【００３２】
左加熱部２６、右加熱部２７、中央加熱部２８は、電力供給により交流磁界を発生し、載置部に載置された、例えば鍋などの調理容器を電磁誘導により加熱する。ここで、左加熱部制御回路４６、右加熱部制御回路４７、中央加熱部制御回路４８は、制御装置４０からの指示に基づいて、互いに独立して駆動することができるように構成されている。
【００３３】
グリル庫加熱部制御回路４５は、制御装置４０からの指示に基づき、輻射式電気加熱源を加熱させるための電力供給制御を行う。グリル庫加熱部２５は、電力供給によりグリル網（図示せず）を上方と下方から加熱する。
【００３４】
火力操作制御回路５９は、接触検知部５２の検知信号を制御装置４０に送るとともに、制御装置４０からの指示に基づいて火力表示部５３を駆動する回路である。
【００３５】
記憶装置４１は、例えばメモリなどで構成され、各加熱部の動作状態など、各種情報を記憶するものである。この記憶装置４１には、加熱部の火力情報および基準時間に関する情報が記憶されている。
【００３６】
報知部４２は、例えばスピーカーで構成され、ユーザーに対する操作の案内、異常発生時の報知などに係る音を電子的に作成して合成する処理を行い、その音を発生させるものである。
【００３７】
なお、記憶装置４１は、制御装置４０内に設けられていてもよいし、制御装置４０外に設けられていてもよく、制御装置４０と電気的に接続されて互いに通信できる態様で設けられていればよい。
【００３８】
図５は、本発明の実施の形態１に係る加熱調理器１００の火力操作時の全体の処理を示すフローチャートである。
【００３９】
次に、本実施の形態１に係る加熱調理器１００の火力操作時の全体の処理について、図５を参照しながら説明する。
【００４０】
操作部３０の電源キー（図示せず）が押下され、電源ＯＮとなった状態において、制御装置４０は、記憶装置４１に記憶されている加熱部の火力情報を参照し、火力ＯＦＦであるかどうかを判定する（ステップＳ００１）。ここで、火力ＯＦＦとは、設定中の火力が「０」に設定されている状態であり、火力ＯＮとは、設定中の火力が「１」以上に設定されている状態である。
【００４１】
ステップＳ００１において、制御装置４０が、火力ＯＦＦであると判定した場合、火力ＯＮ処理を行う（ステップＳ００２）。一方、制御装置４０が、火力ＯＮであると判定した場合、火力変更処理を行う（ステップＳ００３）。
【００４２】
次に、本発明の実施の形態１に係る加熱調理器１００の火力操作時の火力ＯＮ処理について説明するが、以下に説明する例１〜例６のいずれの処理であってもよい。
【００４３】
図６は、本発明の実施の形態１に係る加熱調理器１００の火力操作時の火力ＯＮ処理の例１を示すフローチャートである。図７は、本発明の実施の形態１に係る加熱調理器１００の火力操作時の火力ＯＮ処理の例１を説明する第１の図である。図８は、本発明の実施の形態１に係る加熱調理器１００の火力操作時の火力ＯＮ処理の例１を説明する第２の図である。
【００４４】
以下、本発明の実施の形態１に係る加熱調理器１００の火力操作時の火力ＯＮ処理の例１について、図６〜図８を参照しながら説明する。
【００４５】
ステップＳ１０１において、制御装置４０は、接触検知部５２の検知信号に基づいて、火力「０」に対応する火力操作キー５１への接触があるかどうかを判定する。
【００４６】
ステップＳ１０１において、制御装置４０が、火力「０」に対応する火力操作キー５１への接触があると判定した場合（ステップＳ１０１のＹＥＳ）、ステップＳ１０２の処理に進む。一方、制御装置４０が、火力「０」に対応する火力操作キー５１への接触がないと判定した場合（ステップＳ１０１のＮＯ）、再度ステップＳ１０１の処理を行う。
【００４７】
ステップＳ１０２において、制御装置４０は、接触検知部５２の検知信号に基づいて、スライド移動があったかどうかを判定する。
【００４８】
ここで、スライド移動とは、図７に示すように、ユーザーが火力操作キー５１の上面を指などで一方向にスライドさせることである。そして、制御装置４０は、ある火力操作キー５１の接触を検知した後、あらかじめ設定された基準時間（例えば、０．５秒）以内に、該火力操作キー５１と（進行方向に）隣接する火力操作キー５１の接触を検知した場合に、スライド移動があったと判定する。
【００４９】
例えば、制御装置４０は、火力「０」に対応する火力操作キー５１の接触を検知して０．５秒以内に、火力「１」に対応する火力操作キー５１の接触を検知し、さらに火力「１」に対応する火力操作キー５１の接触を検知して０．５秒以内に、火力「２」に対応する火力操作キー５１の接触を検知し、火力「２」に対応する火力操作キー５１の接触を検知して０．５秒以内に、火力「３」に対応する火力操作キー５１の接触を検知しなかった場合、または、火力「３」以外に対応する火力操作キー５１の接触を検知した場合、火力「０」から「２」へのスライド移動があったと判定する。このとき、スライド移動の始点は、火力「０」に対応する火力操作キー５１であり、スライド移動の終点は、火力「２」に対応する火力操作キー５１である。
【００５０】
ステップＳ１０２において、制御装置４０が、スライド移動があったと判定した場合（ステップＳ１０２のＹＥＳ）、ステップＳ１０４の処理に進む。一方、制御装置４０が、スライド移動がなかったと判定した場合（ステップＳ１０２のＮＯ）、ステップＳ１０３の処理に進む。
【００５１】
つまり、図７の（ｂ）に示すように、火力「０」に対応する火力操作キー５１を始点として少なくとも１以上スライド移動があった場合は、ステップＳ１０４の処理に進む。なお、図７の（ａ）に示すように、火力「０」以外に対応する火力操作キー５１を始点として１以上スライド移動があった場合は、その操作は無効となる。
【００５２】
ステップＳ１０３において、制御装置４０は、今までの火力操作キー５１の入力を無効とし、ステップＳ１０１の処理に戻る。
【００５３】
ステップＳ１０４において、制御装置４０は、火力を、スライド移動の終点の火力操作キー５１に対応する火力に設定し、設定された火力に対応する火力操作キー５１を、例えば、あらかじめ設定された色である赤色で発光させ（ステップＳ１０５）、図５に示す全体の処理のステップＳ００１の処理に戻る。
【００５４】
ここで、例えば、図７の（ｂ）に示すように、火力「０」から「１」へのスライド移動があった場合、制御装置４０は、火力「１」を設定し、火力「０」、「１」に対応する火力操作キー５１をそれぞれ赤色で発光させる。なお、ステップＳ１０５において、発光させる色を赤色としたが、それに限定されず、その他の色でもよい。
【００５５】
また、上記の説明では、火力「０」に対応する火力操作キー５１を始点として少なくとも１以上スライド移動があった場合は、ステップＳ１０４の処理に進むとしたが、それに限定されない。例えば、図８の（ａ）に示すように、火力「０」に対応する火力操作キー５１を始点として少なくとも２以上スライド移動があった場合は、ステップＳ１０４の処理に進むようにしてもよい。これは、火力をＯＮする際の誤操作を防止するためである。
【００５６】
なお、図８の（ｂ）に示すように、火力「０」に対応する火力操作キー５１を始点として１しかスライド移動がなかった場合は、その操作は無効となる。また、図８の（ｃ）に示すように、２以上スライド移動があった場合でも、火力「０」以外に対応する火力操作キー５１が始点の場合は、その操作は無効となる。
【００５７】
図９は、本発明の実施の形態１に係る加熱調理器１００の火力操作時の火力ＯＮ処理の例２を示すフローチャートである。図１０は、本発明の実施の形態１に係る加熱調理器１００の火力操作時の火力ＯＮ処理の例２を説明する第１の図である。図１１は、本発明の実施の形態１に係る加熱調理器１００の火力操作時の火力ＯＮ処理の例２を説明する第２の図である。
【００５８】
以下、本発明の実施の形態１に係る加熱調理器１００の火力操作時の火力ＯＮ処理の例２について、図９〜図１１を参照しながら説明する。
【００５９】
ステップＳ１１１において、制御装置４０は、接触検知部５２の検知信号に基づいて、いずれかの火力操作キー５１への接触があるかどうかを判定する。
【００６０】
ステップＳ１１１において、制御装置４０が、いずれかの火力操作キー５１への接触があると判定した場合（ステップＳ１１１のＹＥＳ）、ステップＳ１１２の処理に進む。一方、制御装置４０が、いずれかの火力操作キー５１への接触がないと判定した場合（ステップＳ１１１のＮＯ）、再度ステップＳ１１１の処理を行う。
【００６１】
ステップＳ１１２において、制御装置４０は、接触検知部５２の検知信号に基づいて、スライド移動があったかどうかを判定する。
【００６２】
ステップＳ１１２において、制御装置４０が、スライド移動があったと判定した場合（ステップＳ１１２のＹＥＳ）、ステップＳ１１４の処理に進む。一方、制御装置４０が、スライド移動がなかったと判定した場合（ステップＳ１１２のＮＯ）、ステップＳ１１３の処理に進む。
【００６３】
つまり、図１０の（ａ）に示すように、いずれかの火力操作キー５１を始点として少なくとも１以上スライド移動があった場合は、ステップＳ１１４の処理に進む。火力ＯＮ処理の例２は、火力ＯＮ処理の例１とは異なり、火力「０」以外に対応する火力操作キー５１を始点として１以上スライド移動があった場合でも、その操作は有効となる。
【００６４】
ステップＳ１１３において、制御装置４０は、今までの火力操作キー５１の入力を無効とし、ステップＳ１１１の処理に戻る。
【００６５】
ステップＳ１１４において、制御装置４０は、火力を、スライド移動の結果に対応する火力に設定し、設定された火力に対応する火力操作キー５１を、例えば、あらかじめ設定された色である赤色で発光させ（ステップＳ１１５）、図５に示す全体の処理のステップＳ００１の処理に戻る。
【００６６】
ここで、設定する火力に関して、例えば、火力「５」から「６」へスライド移動があった場合、以下の３通りのいずれかである。１つ目は、図１０の（ａ）に示すように、スライド移動した数と同じ火力、つまり火力「１」に設定する。２つ目は、図１０の（ｂ）に示すように、スライド移動の終点の火力操作キー５１に対応する火力、つまり火力「６」に設定する。３つ目は、図１０の（ｃ）に示すように、あらかじめ設定された火力ＯＮ時の火力に設定する。例えば、あらかじめ設定された火力ＯＮ時の火力が「４」である場合、火力「４」に設定する。
【００６７】
なお、ステップＳ１１５において、発光させる色を赤色としたが、それに限定されず、その他の色でもよい。
【００６８】
また、上記の説明では、いずれかの火力操作キー５１を始点として少なくとも１以上スライド移動があった場合は、ステップＳ１１４の処理に進むとしたが、それに限定されない。例えば、図１１の（ａ）に示すように、いずれかの火力操作キー５１を始点として少なくとも２以上スライド移動があった場合は、ステップＳ１１４の処理に進むようにしてもよい。これは、火力をＯＮする際の誤操作を防止するためである。この場合、図１１の（ｂ）に示すように、いずれかに対応する火力操作キー５１を始点として１しかスライド移動がなかったときは、その操作は無効となる。
【００６９】
図１２は、本発明の実施の形態１に係る加熱調理器１００の火力操作時の火力ＯＮ処理の例３を示すフローチャートである。
【００７０】
以下、本発明の実施の形態１に係る加熱調理器１００の火力操作時の火力ＯＮ処理の例３について、図１２を参照しながら説明する。
【００７１】
ステップＳ１２１において、制御装置４０は、接触検知部５２の検知信号に基づいて、火力「０」に対応する火力操作キー５１への接触があるかどうかを判定する。
【００７２】
ステップＳ１２１において、制御装置４０が、火力「０」に対応する火力操作キー５１への接触があると判定した場合（ステップＳ１２１のＹＥＳ）、ステップＳ１２２の処理に進む。一方、制御装置４０が、火力「０」に対応する火力操作キー５１への接触がないと判定した場合（ステップＳ１２１のＮＯ）、再度ステップＳ１２１の処理を行う。
【００７３】
ステップＳ１２２において、制御装置４０は、接触検知部５２の検知信号に基づいて、スライド移動があったかどうかを判定する。
【００７４】
ステップＳ１２２において、制御装置４０が、スライド移動があったと判定した場合（ステップＳ１２２のＹＥＳ）、ステップＳ１２５の処理に進む。一方、制御装置４０が、スライド移動がなかったと判定した場合（ステップＳ１２２のＮＯ）、ステップＳ１２３の処理に進む。
【００７５】
ステップＳ１２３において、制御装置４０は、接触検知部５２の検知信号に基づいて、火力「０」に対応する火力操作キー５１へのダブルタップがあったかどうかを判定する。
【００７６】
ここで、ダブルタップとは、ユーザーが同じ火力操作キー５１の上面に対して、指などを接触させてから離す、を２回続けて繰り返すことである。そして、制御装置４０は、ある火力操作キー５１の接触を検知して、あらかじめ設定された第１基準時間（例えば、０．５秒）以内に該火力操作キー５１への接触を検知しなくなった後、再度、あらかじめ設定された第２基準時間（例えば、０．５秒）以内に、該火力操作キー５１の接触を検知して、第１基準時間以内に該火力操作キー５１への接触を検知しなくなった場合に、ダブルタップがあったと検知する。
【００７７】
例えば、制御装置４０は、火力「３」に対応する火力操作キー５１の接触を検知して、０．５秒以内にその火力操作キー５１の接触を検知しなくなった後、再度、０．５秒以内に火力「３」に対応する火力操作キー５１の接触を検知して、０．５秒以内にその火力操作キー５１の接触を検知しなくなった場合、ダブルタップがあったと判定する。また、例えば、制御装置４０は、火力「３」に対応する火力操作キー５１の接触を検知して０．５秒以内にその火力操作キー５１の接触を検知しなくなった後、０．５秒以内に火力「３」以外に対応する火力操作キー５１の接触を検知した場合、ダブルタップはなかったと判定する。また、例えば、制御装置４０は、火力「３」に対応する火力操作キー５１の接触を検知して、０．５秒以内にその火力操作キー５１の接触を検知しなくなった後、再度、０．５秒以内に火力「３」に対応する火力操作キー５１の接触を検知して、その火力操作キー５１の接触を検知しなくなるまで、０．５秒よりも経過した場合、ダブルタップはなかったと判定する。
【００７８】
ステップＳ１２３において、制御装置４０が、火力「０」に対応する火力操作キー５１へのダブルタップがあったと判定した場合（ステップＳ１２３のＹＥＳ）、ステップＳ１２５の処理に進む。一方、制御装置４０が、火力「０」に対応する火力操作キー５１へのダブルタップがなかったと判定した場合（ステップＳ１２３のＮＯ）、ステップＳ１２４の処理に進む。
【００７９】
ステップＳ１２４において、制御装置４０は、今までの火力操作キー５１の入力を無効とし、ステップＳ１２１の処理に戻る。
【００８０】
ステップＳ１２５において、制御装置４０は、火力を設定し、ステップＳ１２６の処理に進む。ここで、制御装置４０は、スライド移動を検知した場合は、火力を、スライド移動の終点の火力操作キー５１に対応する火力に設定する。また、制御装置４０は、ダブルタップを検知した場合は、火力を、あらかじめ設定された火力ＯＮ時の火力に設定する。例えば、あらかじめ設定された火力ＯＮ時の火力が「４」である場合、火力「４」に設定する。
【００８１】
ステップＳ１２６において、制御装置４０は、設定された火力に対応する火力操作キー５１を、例えば、あらかじめ設定された色である赤色で発光させ、図５に示す全体の処理のステップＳ００１の処理に戻る。
【００８２】
なお、ステップＳ１２６において、発光させる色を赤色としたが、それに限定されず、その他の色でもよい。
【００８３】
図１３は、本発明の実施の形態１に係る加熱調理器１００の火力操作時の火力ＯＮ処理の例４を示すフローチャートである。
【００８４】
以下、本発明の実施の形態１に係る加熱調理器１００の火力操作時の火力ＯＮ処理の例４について、図１３を参照しながら説明する。
【００８５】
ステップＳ１３１において、制御装置４０は、接触検知部５２の検知信号に基づいて、いずれかの火力操作キー５１への接触があるかどうかを判定する。
【００８６】
ステップＳ１３１において、制御装置４０が、いずれかの火力操作キー５１への接触があると判定した場合（ステップＳ１３１のＹＥＳ）、ステップＳ１３２の処理に進む。一方、制御装置４０が、いずれかの火力操作キー５１への接触がないと判定した場合（ステップＳ１３１のＮＯ）、再度ステップＳ１３１の処理を行う。
【００８７】
ステップＳ１３２において、制御装置４０は、接触検知部５２の検知信号に基づいて、スライド移動があったかどうかを判定する。
【００８８】
ステップＳ１３２において、制御装置４０が、スライド移動があったと判定した場合（ステップＳ１３２のＹＥＳ）、ステップＳ１３５の処理に進む。一方、制御装置４０が、スライド移動がなかったと判定した場合（ステップＳ１３２のＮＯ）、ステップＳ１３３の処理に進む。
【００８９】
ステップＳ１３３において、制御装置４０は、接触検知部５２の検知信号に基づいて、いずれかの火力操作キー５１へのダブルタップがあったかどうかを判定する。
【００９０】
ステップＳ１３３において、制御装置４０が、いずれかの火力操作キー５１へのダブルタップがあったと判定した場合（ステップＳ１３３のＹＥＳ）、ステップＳ１３５の処理に進む。一方、制御装置４０が、いずれかの火力操作キー５１へのダブルタップがなかったと判定した場合（ステップＳ１３３のＮＯ）、ステップＳ１３４の処理に進む。
【００９１】
ステップＳ１３４において、制御装置４０は、今までの火力操作キー５１の入力を無効とし、ステップＳ１３１の処理に戻る。
【００９２】
ステップＳ１３５において、制御装置４０は、火力を設定し、ステップＳ１３６の処理に進む。ここで、制御装置４０は、スライド移動を検知した場合は、スライド移動の結果に対応する火力に設定する。
【００９３】
ここで、設定する火力に関して、例えば、火力「５」から「６」へスライド移動があった場合、以下の３通りのいずれかである。１つ目は、スライド移動した数と同じ火力、つまり火力「１」に設定する。２つ目は、スライド移動の終点の火力操作キー５１に対応する火力、つまり火力「６」に設定する。３つ目は、あらかじめ設定された火力ＯＮ時の火力に設定する。例えば、あらかじめ設定された火力ＯＮ時の火力が「４」である場合、火力「４」に設定する。
【００９４】
また、制御装置４０は、ダブルタップを検知した場合は、ダブルタップの結果に対応する火力に設定する。
【００９５】
ここで、設定する火力に関して、例えば、火力「５」へのダブルタップがあった場合、以下の２通りのいずれかである。２つ目は、ダブルタップがあった火力操作キー５１に対応する火力、つまり火力「５」に設定する。２つ目は、あらかじめ設定された火力ＯＮ時の火力に設定する。例えば、あらかじめ設定された火力ＯＮ時の火力が「４」である場合、火力「４」に設定する。
【００９６】
ステップＳ１３６において、制御装置４０は、設定された火力に対応する火力操作キー５１を、例えば、あらかじめ設定された色である赤色で発光させ、図５に示す全体の処理のステップＳ００１の処理に戻る。
【００９７】
なお、ステップＳ１３６において、発光させる色を赤色としたが、それに限定されず、その他の色でもよい。
【００９８】
図１４は、本発明の実施の形態１に係る加熱調理器１００の火力操作時の火力ＯＮ処理の例５を示すフローチャートである。図１５は、本発明の実施の形態１に係る加熱調理器１００の火力操作時の火力ＯＮ処理の例５を説明する図である。
【００９９】
以下、本発明の実施の形態１に係る加熱調理器１００の火力操作時の火力ＯＮ処理の例５について、図１４および図１５を参照しながら説明する。
【０１００】
ステップＳ１４１において、制御装置４０は、接触検知部５２の検知信号に基づいて、いずれかの火力操作キー５１へのタップがあるかどうかを判定する。
【０１０１】
ここで、タップとは、ユーザーが同じ火力操作キー５１の上面を、指などで接触してから離す、を行うことである。そして、制御装置４０は、ある火力操作キー５１の接触を検知して、あらかじめ設定された第１基準時間（例えば、０．５秒）以内に該火力操作キー５１への接触を検知しなくなった場合に、タップがあったと検知する。
【０１０２】
例えば、制御装置４０は、火力「３」に対応する火力操作キー５１の接触を検知して、０．５秒以内にその火力操作キー５１の接触を検知しなくなった場合、タップがあったと判定する。また、例えば、制御装置４０は、火力「３」に対応する火力操作キー５１の接触を検知して０．５秒経過後にその火力操作キー５１の接触を検知しなくなった場合、タップはなかったと判定する。また、火力「３」に対応する火力操作キー５１の接触を検知して０．５秒以内にその他の火力操作キー５１の接触を検知した場合、タップはなかったと判定する。
【０１０３】
ステップＳ１４１において、制御装置４０が、いずれかの火力操作キー５１へのタップがあると判定した場合（ステップＳ１４１のＹＥＳ）、ステップＳ１４２の処理に進む。一方、制御装置４０が、いずれかの火力操作キー５１へのタップがないと判定した場合（ステップＳ１４１のＮＯ）、再度ステップＳ１４１の処理を行う。
【０１０４】
ステップＳ１４２において、制御装置４０は、全ての火力操作キー５１を、例えば、あらかじめ設定された色である青色で発光させ、ステップＳ１４３の処理に進む。
【０１０５】
ここで、図１５の（ａ）に示すように、設定中の火力が「０」、つまり、火力ＯＦＦのときは、全ての火力操作キー５１が発光していない状態である。そして、その状態で、図１５の（ｂ）に示すように、いずれかの火力操作キー５１へのタップがあった場合、全ての火力操作キー５１が青色で発光する。
【０１０６】
なお、ステップＳ１４２において、発光させる色を青色としたが、それに限定されず、その他の色でもよい。
【０１０７】
ここで、ステップＳ１４３〜Ｓ１４７の処理に関しては、上記のステップＳ１０１〜Ｓ１０５と同様の処理であるため、説明を省略する。また、ステップＳ１４３〜Ｓ１４７の処理の代わりに、ステップＳ１２１〜Ｓ１２６の処理を行う構成としてもよい。
【０１０８】
ここで、図１５の（ｃ）に示すように、全ての火力操作キー５１が青色で発光している状態でスライド移動があった場合、その操作は有効となる。しかし、図１５の（ｄ）に示すように、全ての火力操作キー５１が青色で発光していない状態でスライド移動があった場合、その操作は無効となる。これは、火力をＯＮする際の誤操作を防止するためである。
【０１０９】
なお、ステップＳ１４７において、発光させる色を赤色としたが、それに限定されず、ステップＳ１４２で発光させる色と異なる色であれば、その他の色でもよい。
【０１１０】
図１６は、本発明の実施の形態１に係る加熱調理器１００の火力操作時の火力ＯＮ処理の例６を示すフローチャートである。
【０１１１】
以下、本発明の実施の形態１に係る加熱調理器１００の火力操作時の火力ＯＮ処理の例６について、図１６を参照しながら説明する。
【０１１２】
ここで、ステップＳ１５１〜Ｓ１５２の処理に関しては、上記のステップＳ１４１〜Ｓ１４２と同様の処理であり、ステップＳ１５３〜Ｓ１５７の処理に関しては、上記のステップＳ１１１〜Ｓ１１５と同様の処理であるため、説明を省略する。また、ステップＳ１５３〜Ｓ１５７の処理の代わりに、ステップＳ１３１〜Ｓ１３６の処理を行う構成としてもよい。
【０１１３】
なお、ステップＳ１５７において、発光させる色を赤色としたが、それに限定されず、ステップＳ１５２で発光させる色と異なる色であれば、その他の色でもよい。
【０１１４】
次に、本発明の実施の形態１に係る加熱調理器１００の火力操作時の火力変更処理について説明するが、以下に説明する例１〜例４のいずれの処理であってもよい。
【０１１５】
図１７は、本発明の実施の形態１に係る加熱調理器１００の火力操作時の火力変更処理の例１を示すフローチャートである。図１８は、本発明の実施の形態１に係る加熱調理器１００の火力操作時の火力変更処理の例１を説明する第１の図である。図１９は、本発明の実施の形態１に係る加熱調理器１００の火力操作時の火力変更処理の例１を説明する第２の図である。
【０１１６】
以下、本発明の実施の形態１に係る加熱調理器１００の火力操作時の火力変更処理の例１について、図１７〜図１９を参照しながら説明する。
【０１１７】
ステップＳ２０１において、制御装置４０は、接触検知部５２の検知信号に基づいて、スライド移動があったかどうかを判定する。
【０１１８】
ステップＳ２０１において、制御装置４０が、スライド移動があったと判定した場合（ステップＳ２０１のＹＥＳ）、ステップＳ２０２の処理に進む。一方、制御装置４０が、スライド移動がなかったと判定した場合（ステップＳ２０１のＮＯ）、再度ステップＳ２０１の処理を行う。
【０１１９】
ステップＳ２０２において、制御装置４０は、記憶装置４１に記憶されている加熱部の火力情報を参照し、設定中の火力が、接触を検知した火力操作キー５１に対応する火力に含まれているかどうかを判定する。
【０１２０】
ここで、設定中の火力が、接触を検知した火力操作キー５１に対応する火力に含まれているかどうかに関して、例えば、図１８の（ａ）に示すように、設定中の火力が「６」である場合、以下の通りである。
【０１２１】
例えば、図１８の（ｂ）に示すように、火力「６」から「８」へのスライド移動があった場合、火力「６」に対応する火力操作キー５１への接触があるため、設定中の火力は接触を検知した火力操作キー５１に対応する火力に含まれている。また、例えば、図１８の（ｃ）に示すように、火力「４」から「９」へのスライド移動があった場合、火力「６」に対応する火力操作キー５１への接触があるため、設定中の火力は接触を検知した火力操作キー５１に対応する火力に含まれている。また、例えば、図１８の（ｄ）に示すように、火力「４」から「６」へのスライド移動があった場合、火力「６」に対応する火力操作キー５１への接触があるため、設定中の火力は接触を検知した火力操作キー５１に対応する火力に含まれている。また、例えば、図１８の（ｅ）に示すように、火力「１」から「３」へのスライド移動があった場合、火力「６」に対応する火力操作キー５１への接触はないため、設定中の火力は接触を検知した火力操作キー５１に対応する火力に含まれていない。また、例えば、図１８の（ｆ）に示すように、火力「７」から「９」へのスライド移動があった場合、火力「６」に対応する火力操作キー５１への接触はないため、設定中の火力は接触を検知した火力操作キー５１に対応する火力に含まれていない。
【０１２２】
また、図１９の（ａ）に示すように、火力「６」から「４」へのスライド移動があった場合、火力「６」に対応する火力操作キー５１への接触があるため、設定中の火力は接触を検知した火力操作キー５１に対応する火力に含まれている。また、例えば、図１９の（ｂ）に示すように、火力「３」から「１」へのスライド移動があった場合、火力「６」に対応する火力操作キー５１への接触はないため、設定中の火力は接触を検知した火力操作キー５１に対応する火力に含まれていない。また、例えば、図１９の（ｃ）に示すように、火力「８」から「６」へのスライド移動があった場合、火力「６」に対応する火力操作キー５１への接触があるため、設定中の火力は接触を検知した火力操作キー５１に対応する火力に含まれている。また、例えば、図１９の（ｄ）に示すように、火力「９」から「０」へのスライド移動があった場合、火力「６」に対応する火力操作キー５１への接触があるため、設定中の火力は接触を検知した火力操作キー５１に対応する火力に含まれている。
【０１２３】
ステップＳ２０２において、制御装置４０が、設定中の火力が、接触を検知した火力操作キー５１に対応する火力に含まれていると判定した場合（ステップＳ２０２のＹＥＳ）、ステップＳ２０４の処理に進む。一方、制御装置４０が、設定中の火力が、接触を検知した火力操作キー５１に対応する火力に含まれていないと判定した場合（ステップＳ２０２のＮＯ）、ステップＳ２０３の処理に進む。
【０１２４】
ステップＳ２０３において、制御装置４０は、今までの火力操作キー５１の入力を無効とし、ステップＳ２０１の処理に戻る。
【０１２５】
ステップＳ２０４において、制御装置４０は、火力を、スライド移動の終点の火力操作キー５１に対応する火力に設定し、設定された火力に対応する火力操作キー５１を、例えば、あらかじめ設定された色である赤色で発光させ（ステップＳ２０５）、図５に示す全体の処理のステップＳ００１の処理に戻る。
る。
【０１２６】
ここで、火力変更に関して、例えば、設定中の火力が「６」である場合、以下の通りである。
【０１２７】
例えば、火力「６」から「８」へのスライド移動があった場合、図１８の（ｂ）に示すように、スライド移動の終点の火力操作キー５１に対応する火力は「８」であるため、火力が「８」に設定される。また、例えば、火力「４」から「９」へのスライド移動があった場合、図１８の（ｃ）に示すように、スライド移動の終点の火力操作キー５１に対応する火力は「９」であるため、火力が「９」に設定される。また、例えば、火力「４」から「６」へのスライド移動があった場合、図１８の（ｄ）に示すように、スライド移動の終点の火力操作キー５１に対応する火力は「６」であるため、火力の変更は行われない。
【０１２８】
また、例えば、火力「６」から「４」へのスライド移動があった場合、図１９の（ａ）に示すように、スライド移動の終点の火力操作キー５１に対応する火力は「４」であるため、火力が「４」に設定される。また、例えば、火力「８」から「６」へのスライド移動があった場合、図１９の（ｃ）に示すように、スライド移動の終点の火力操作キー５１に対応する火力は「６」であるため、火力の変更は行われない。また、例えば、火力「９」から「０」へのスライド移動があった場合、図１９の（ｄ）に示すように、スライド移動の終点の火力操作キー５１に対応する火力は「０」であるため、火力が「０」に設定される。
【０１２９】
なお、ステップＳ２０５において、発光させる色を赤色としたが、それに限定されず、その他の色でもよい。
【０１３０】
図２０は、本発明の実施の形態１に係る加熱調理器１００の火力操作時の火力変更処理の例２を示すフローチャートである。図２１は、本発明の実施の形態１に係る加熱調理器１００の火力操作時の火力変更処理の例２を説明する図である。
【０１３１】
以下、本発明の実施の形態１に係る加熱調理器１００の火力操作時の火力変更処理の例２について、図２０および図２１を参照しながら説明する。
【０１３２】
ステップＳ２１１において、制御装置４０は、接触検知部５２の検知信号に基づいて、スライド移動があったかどうかを判定する。
【０１３３】
ステップＳ２１１において、制御装置４０が、スライド移動があったと判定した場合（ステップＳ２１１のＹＥＳ）、ステップＳ２１２の処理に進む。一方、制御装置４０が、スライド移動がなかったと判定した場合（ステップＳ２１１のＮＯ）、再度ステップＳ２１１の処理を行う。
【０１３４】
ステップＳ２１２において、制御装置４０は、火力を、スライド移動の終点の火力操作キー５１に対応する火力と始点の火力操作キー５１に対応する火力との差分を、設定中の火力に加算した値に設定し、ステップＳ２１３の処理に進む。
【０１３５】
ここで、火力変更に関して、例えば、図２１の（ａ）に示すように、設定中の火力が「６」である場合、以下の通りである。
【０１３６】
例えば、図２１の（ｂ）に示すように、火力「５」から「８」へのスライド移動があった場合、スライド移動の終点の火力操作キー５１に対応する火力と始点の火力操作キー５１に対応する火力との差分は８−５＝３であるため、設定中の火力に３を加算して、火力を「９」に設定する。また、例えば、図２１の（ｃ）に示すように、火力「５」から「１」へのスライド移動があった場合、スライド移動の終点の火力操作キー５１に対応する火力と始点の火力操作キー５１に対応する火力との差分は１−５＝−４であるため、設定中の火力に−４を加算して、火力を「２」に設定する。
【０１３７】
つまり、火力変更処理の例２では、火力変更処理の例１とは異なり、スライド移動の位置に関わらず、火力変更が行われる。
【０１３８】
なお、スライド移動の終点の火力操作キー５１に対応する火力と始点の火力操作キー５１に対応する火力との差分を、設定中の火力に加算した値が、最も強い火力の値（本実施の形態１では９）より大きい場合、最も強い火力の値に火力が設定される。例えば、設定中の火力が「６」で、図２１の（ｄ）に示すように、火力「３」から「７」へのスライド移動があった場合、スライド移動の終点の火力操作キー５１に対応する火力と始点の火力操作キー５１に対応する火力との差分は７−３＝４である。そのため、この値を設定中の火力の値６に６を加算すると１２となってしまい、最も強い火力の値９より大きくなってしまうため、この場合は火力が「９」に設定される。
【０１３９】
また、スライド移動の終点の火力操作キー５１に対応する火力と始点の火力操作キー５１に対応する火力との差分を、設定中の火力に加算した値が、最も弱い火力の値（本実施の形態１では０）より小さい場合、最も弱い火力の値に火力が設定される。例えば、設定中の火力が「６」で、図２１の（ｅ）に示すように、火力「８」から「１」へのスライド移動があった場合、スライド移動の終点の火力操作キー５１に対応する火力と始点の火力操作キー５１に対応する火力との差分は１−８＝−７である。そのため、この値を設定中の火力の値６に−７を加算すると−１となってしまい、最も弱い火力の値０より小さくなってしまうため、この場合は火力が「０」に設定される。
【０１４０】
ステップＳ２１３において、制御装置４０は、設定された火力に対応する火力操作キー５１を、例えば、あらかじめ設定された色である赤色で発光させ、図５に示す全体の処理のステップＳ００１の処理に戻る。
【０１４１】
なお、ステップＳ２１３において、発光させる色を赤色としたが、それに限定されず、その他の色でもよい。
【０１４２】
図２２は、本発明の実施の形態１に係る加熱調理器１００の火力操作時の火力変更処理の例３を示すフローチャートである。
【０１４３】
以下、本発明の実施の形態１に係る加熱調理器１００の火力操作時の火力変更処理の例３について、図２２を参照しながら説明する。
【０１４４】
ステップＳ２２１において、制御装置４０は、接触検知部５２の検知信号に基づいて、スライド移動があったかどうかを判定する。
【０１４５】
ステップＳ２２１において、制御装置４０が、スライド移動があったと判定した場合（ステップＳ２２１のＹＥＳ）、ステップＳ２２２の処理に進む。一方、制御装置４０が、スライド移動がなかったと判定した場合（ステップＳ２２１のＮＯ）、ステップＳ２２４の処理に進む。
【０１４６】
ステップＳ２２２において、制御装置４０が、設定中の火力が、接触を検知した火力操作キー５１に対応する火力に含まれていると判定した場合（ステップＳ２２２のＹＥＳ）、ステップＳ２２５の処理に進む。一方、制御装置４０が、設定中の火力が、接触を検知した火力操作キー５１に対応する火力に含まれていないと判定した場合（ステップＳ２２２のＮＯ）、ステップＳ２２３の処理に進む。
【０１４７】
ステップＳ２２３において、制御装置４０は、今までの火力操作キー５１の入力を無効とし、ステップＳ２２４の処理に進む。
【０１４８】
ステップＳ２２４において、制御装置４０は、接触検知部５２の検知信号に基づいて、いずれかの火力操作キー５１へのダブルタップがあったかどうかを判定する。
【０１４９】
ステップＳ２２４において、制御装置４０が、いずれかの火力操作キー５１へのダブルタップがあったと判定した場合（ステップＳ２２４のＹＥＳ）、ステップＳ２２５の処理に進む。一方、制御装置４０が、いずれかの火力操作キー５１へのダブルタップがなかったと判定した場合（ステップＳ２２４のＮＯ）、ステップＳ２２１の処理に戻る。
【０１５０】
ステップＳ２２５において、制御装置４０は、設定中の火力を変更し、ステップＳ２２６の処理に進む。ここで、制御装置４０は、スライド移動を検知した場合は、火力を、スライド移動の終点の火力操作キー５１に対応する火力に設定する。また、制御装置４０は、ダブルタップを検知した場合は、火力を、ダブルタップされた火力操作キー５１に対応する火力に設定する。
【０１５１】
ステップＳ２２６において、制御装置４０は、設定された火力に対応する火力操作キー５１を、例えば、あらかじめ設定された色である赤色で発光させ、図５に示す全体の処理のステップＳ００１の処理に戻る。
【０１５２】
なお、ステップＳ２２６において、発光させる色を赤色としたが、それに限定されず、その他の色でもよい。
【０１５３】
図２３は、本発明の実施の形態１に係る加熱調理器１００の火力操作時の火力変更処理の例４を示すフローチャートである。
【０１５４】
以下、本発明の実施の形態１に係る加熱調理器１００の火力操作時の火力変更処理の例４について、図２３を参照しながら説明する。
【０１５５】
ステップＳ２３１において、制御装置４０は、接触検知部５２の検知信号に基づいて、スライド移動があったかどうかを判定する。
【０１５６】
ステップＳ２３１において、制御装置４０が、スライド移動があったと判定した場合（ステップＳ２３１のＹＥＳ）、ステップＳ２３３の処理に進む。一方、制御装置４０が、スライド移動がなかったと判定した場合（ステップＳ２３１のＮＯ）、ステップＳ２３２の処理に進む。
【０１５７】
ステップＳ２３２において、制御装置４０は、接触検知部５２の検知信号に基づいて、いずれかの火力操作キー５１へのダブルタップがあったかどうかを判定する。
【０１５８】
ステップＳ２３２において、制御装置４０が、いずれかの火力操作キー５１へのダブルタップがあったと判定した場合（ステップＳ２３２のＹＥＳ）、ステップＳ２３３の処理に進む。一方、制御装置４０が、いずれかの火力操作キー５１へのダブルタップがなかったと判定した場合（ステップＳ２３２のＮＯ）、ステップＳ２３１の処理に戻る。
【０１５９】
ステップＳ２３３において、制御装置４０は、設定中の火力を変更し、ステップＳ２３４の処理に進む。ここで、制御装置４０は、スライド移動を検知した場合は、火力を、スライド移動の終点の火力操作キー５１に対応する火力と始点の火力操作キー５１に対応する火力との差分を、設定中の火力に加算した値に設定する。また、制御装置４０は、ダブルタップを検知した場合は、火力を、ダブルタップされた火力操作キー５１に対応する火力に設定する。
【０１６０】
ステップＳ２３４において、制御装置４０は、設定された火力に対応する火力操作キー５１を、例えば、あらかじめ設定された色である赤色で発光させ、図５に示す全体の処理のステップＳ００１の処理に戻る。
【０１６１】
なお、ステップＳ２３４において、発光させる色を赤色としたが、それに限定されず、その他の色でもよい。
【０１６２】
以上、本実施の形態１に係る加熱調理器１００は、調理容器を加熱する加熱部と、火力毎に一列に順番に配置された複数の火力操作キー５１を有する火力操作表示部５０と、火力操作表示部５０の操作に基づいて加熱部の火力の設定を行う制御装置４０と、を備え、火力操作キー５１は、ユーザーによる接触を検知する接触検知部５２と、発光する火力表示部５３と、を備え、制御装置４０は、接触検知部５２により、ユーザーが火力操作キー５１の上面を一方向にスライド移動させたことを検知した場合、火力を設定するとともに、火力表示部５３により設定された火力に対応する火力操作キー５１をあらかじめ設定された色で発光させるものである。
【０１６３】
本実施の形態１に係る加熱調理器１００によれば、火力操作キー５１は、ユーザーによる指の接触を検知する接触検知部５２と、発光する火力表示部５３と、を備えているため、火力操作表示部５０とは別に火力を表示させるスペースを確保する必要がなく、省スペース化を実現することができる。また、火力操作表示部５０の複数の火力操作キー５１が火力毎に一列に順番に配置されているため、火力を一気に大幅に変更したいような場合でも、指などをスライド移動させやすく、火力操作表示部５０の使い勝手を向上させることができる。
【０１６４】
また、本実施の形態１に係る加熱調理器１００の制御装置４０は、火力ＯＦＦの状態において、接触検知部５２により、火力「０」に対応する火力操作キー５１を始点として、ユーザーが火力操作キー５１の上面を一方向にスライド移動させたことを検知した場合、火力を設定するとともに、火力表示部５３により設定された火力に対応する火力操作キー５１をあらかじめ設定された色で発光させる、火力ＯＮ処理を行うものである。
【０１６５】
本実施の形態１に係る加熱調理器１００によれば、火力ＯＦＦの状態において、火力「０」に対応する火力操作キー５１を始点としてスライド移動された場合にのみ火力が設定されるため、火力操作表示部５０の誤操作を防止することができる。
【０１６６】
また、本実施の形態１に係る加熱調理器１００の制御装置４０は、火力を、スライド移動の終点の火力操作キー５１に対応する火力に設定するものである。本実施の形態１に係る加熱調理器１００によれば、火力を、スライド移動の終点の火力操作キー５１に対応する火力に設定するため、直感的で分かりやすい操作を行うことが可能となる。
【０１６７】
また、本実施の形態１に係る加熱調理器１００の制御装置４０は、火力ＯＮ処理中において、接触検知部５２により、ユーザーが火力「０」に対応する火力操作キー５１の上面をダブルタップしたことを検知した場合、火力を、あらかじめ設定された火力に設定するとともに、火力表示部５３により設定された火力に対応する火力操作キー５１をあらかじめ設定された色で発光させるものである。
【０１６８】
本実施の形態１に係る加熱調理器１００によれば、火力ＯＮ処理中において、ダブルタップが検知された場合、火力を、あらかじめ設定された火力に設定するため、使い勝手を向上させることができる。
【０１６９】
また、本実施の形態１に係る加熱調理器１００の制御装置４０は、火力ＯＦＦの状態において、接触検知部５２により、ユーザーが火力操作キー５１の上面を一方向にスライド移動させたことを検知した場合、火力を、スライド移動した数と同じ数に設定するとともに、火力表示部５３により設定された火力に対応する火力操作キー５１をあらかじめ設定された色で発光させる、火力ＯＮ処理を行うものである。
【０１７０】
本実施の形態１に係る加熱調理器１００によれば、火力ＯＦＦの状態において、スライド移動された場合は火力が設定されるため、容易に火力ＯＮの操作を行うことができる。
【０１７１】
また、本実施の形態１に係る加熱調理器１００の制御装置４０は、火力ＯＮ処理中において、接触検知部５２により、ユーザーがいずれかの火力操作キー５１の上面をダブルタップしたことを検知した場合、火力を、ダブルタップされた火力操作キー５１に対応する火力に設定するとともに、火力表示部５３により設定された火力に対応する火力操作キー５１をあらかじめ設定された色で発光させるものである。
【０１７２】
本実施の形態１に係る加熱調理器１００によれば、火力ＯＮ処理中において、ダブルタップが検知された場合、火力を、ダブルタップされた火力操作キー５１に対応する火力に設定するため、さらに容易に火力ＯＮの操作を行うことができる。
【０１７３】
また、本実施の形態１に係る加熱調理器１００の制御装置４０は、火力ＯＦＦの状態において、接触検知部５２により、ユーザーがいずれかの火力操作キー５１の上面をタップしたことを検知した場合、火力表示部５３により全ての火力操作キー５１をあらかじめ設定された色以外の色で発光させた後、火力ＯＮ処理を行うものである。
【０１７４】
本実施の形態１に係る加熱調理器１００によれば、火力ＯＦＦの状態において、いずれかの火力操作キー５１がタップされた場合のみ、火力ＯＮ処理を行うことができるようになるため、火力をＯＮする際の誤操作を防止することができる。
【０１７５】
また、本実施の形態１に係る加熱調理器１００の制御装置４０は、火力ＯＮ状態において、接触検知部５２により、ユーザーが火力操作キー５１の上面を一方向にスライド移動させたことを検知し、かつ、設定中の火力が接触を検知した火力操作キー５１に対応する火力に含まれていたら、火力を、スライド移動の終点の火力操作キー５１に対応する火力に設定するとともに、火力表示部５３により設定された火力に対応する火力操作キー５１をあらかじめ設定された色で発光させる、火力変更処理を行うものである。
【０１７６】
本実施の形態１に係る加熱調理器１００によれば、火力ＯＮ状態において、スライド移動された場合、設定中の火力が接触を検知した火力操作キー５１に対応する火力に含まれていたら、火力を、スライド移動の終点の火力操作キー５１に対応する火力に設定するため、直感的で分かりやすい操作を行うことが可能となる。
【０１７７】
また、本実施の形態１に係る加熱調理器１００の制御装置４０は、火力ＯＮの状態において、接触検知部５２により、ユーザーが火力操作キー５１の上面を一方向にスライド移動させたことを検知した場合、火力を、スライド移動の終点の火力操作キー５１に対応する火力と始点の火力操作キー５１に対応する火力との差分を、設定中の火力に加算した値に設定するとともに、火力表示部５３により設定された火力に対応する火力操作キー５１をあらかじめ設定された色で発光させる、火力変更処理を行うものである。
【０１７８】
本実施の形態１に係る加熱調理器１００によれば、火力ＯＮの状態において、スライド移動された場合、火力を、スライド移動の終点の火力操作キー５１に対応する火力と始点の火力操作キー５１に対応する火力との差分を、設定中の火力に加算した値に設定するため、容易に火力変更の操作を行うことができる。
【０１７９】
また、本実施の形態１に係る加熱調理器１００の制御装置４０は、火力変更処理中において、接触検知部５２により、ユーザーが火力操作キー５１の上面を指でダブルタップしたことを検知した場合、火力を、ダブルタップされた火力操作キー５１に対応する火力に設定するとともに、火力表示部５３により設定された火力に対応する火力操作キー５１をあらかじめ設定された色で発光させるものである。
【０１８０】
本実施の形態１に係る加熱調理器１００によれば、火力変更処理中において、ダブルタップが検知された場合、火力を、ダブルタップされた火力操作キー５１に対応する火力に設定するため、さらに容易に火力変更の操作を行うことができる。
【０１８１】
なお、ステップＳ１２３、Ｓ１３３、Ｓ２２４、Ｓ２３２の処理において、ダブルタップを、例えばトリプルタップなど他の特殊な操作に変えてもよい。
【０１８２】
実施の形態２．
以下、本発明の実施の形態２について説明するが、実施の形態１と重複するものについては説明を省略し、実施の形態１と同じ部分または相当する部分には同じ符号を付す。
【０１８３】
以下、本発明の実施の形態２に係る加熱調理器１００の火力操作表示部５０の構成について説明するが、火力操作表示部５０は、以下に説明する第１の例〜第２の例のいずれの構成であってもよい。
【０１８４】
図２４は、本発明の実施の形態２に係る加熱調理器１００の火力操作表示部５０の構成の第１の例を示す模式図である。なお、図２４は、全ての火力操作キー５１および火力入切キー５４が発光した状態を示している。
図２４に示すように、火力操作表示部５０は、左右方向の一列に配置された複数の火力操作キー５１と、火力操作キー５１に隣接して配置された火力入切キー５４と、を備えている。各火力操作キー５１および火力入切キー５４は、接触検知部５２と、火力表示部５３と、で構成されている。また、各火力操作キー５１および火力入切キー５４の上部には、ガラスまたはエスカッションなどの絶縁体で構成された保護カバー（図示せず）が設けられている。
【０１８５】
各火力操作キー５１には、左から右に向かって火力を表す数字「１」〜「９」が順番に付されており、「１」が最も弱い火力を表しており、「９」が最も強い火力を表している。つまり、火力操作キー５１は、火力毎に一列に順番に配置されている。また、本実施の形態２では、火力操作表示部５０は、９個の火力操作キー５１で構成されているが、それに限定されず、９個より少なくてもよいし、９個より多くてもよい。
【０１８６】
火力入切キー５４は、火力ＯＮまたは火力ＯＦＦを切り替えるものである。制御装置４０は、火力ＯＦＦ状態で火力入切キー５４の接触を検知すると、初期設定として火力を「１」に設定して火力ＯＮに切り替え、火力操作キー５１からの入力を受け付ける。また、火力ＯＮ状態で火力入切キー５４の接触を検知すると、火力を設定なしにして（または内部的に火力を「０」に設定して）火力ＯＦＦに切り替え、火力操作キー５１からの入力を受け付けない。また、火力入切キー５４は、火力「１」に対応する火力操作キー５１の左側に隣接して配置されている。
【０１８７】
なお、火力入切キー５４がＯＮ時は、初期設定として火力が「１」に設定される構成としたが、それに限定されず、初期設定として火力が「１」以外に設定される構成としてもよい。
【０１８８】
接触検知部５２は、ユーザーの接触を検知するものであり、例えば電極で構成され、ユーザーが保護カバーを介して電極に接触することで静電容量が変化する静電容量方式のタッチスイッチである。
【０１８９】
火力表示部５３は、例えばＬＥＤで構成され、火力操作キー５１のＯＮまたはＯＦＦ状態に応じて火力操作キー５１の全体を発光させるものである。
【０１９０】
図２５は、本発明の実施の形態２に係る加熱調理器１００の火力操作表示部５０の構成の第２の例を示す模式図である。なお、図２５は、全ての火力操作キー５１および火力入切キー５４が発光した状態を示している。
火力操作表示部５０の構成の第２の例では、火力入切キー５４が、火力「１」に対応する火力操作キー５１の左隣に、空間部５５を介して配置されている点で、火力操作表示部５０の構成の第１の例と異なっている。この空間部５５の幅は、少なくとも１つの火力操作キー５１の幅以上となっている。火力操作表示部５０をこのような構成とすることで、ユーザーが火力変更時に指などをスライドさせる際に、誤って火力入切キー５４に接触してしまうという誤操作を防止することができる。なお、空間部５５にダミーの電極を設ける構成としてもよい。
【０１９１】
火力操作表示部５０のその他の構成については、火力操作表示部５０の構成の第１の例と同じであるため、説明を省略する。
【０１９２】
また、火力操作表示部５０の構成の第１の例および第２の例に関して、火力表示部５３は、火力操作キー５１の全体を発光させる構成としたが、それに限定されず、火力操作キー５１の一部を発光させる構成としてもよい。
【０１９３】
図２６は、本発明の実施の形態２に係る加熱調理器１００の火力操作時の全体の処理を示すフローチャートである。
【０１９４】
次に、本実施の形態１に係る加熱調理器１００の火力操作時の全体の処理について、図２６を参照しながら説明する。
【０１９５】
操作部３０の電源キー（図示せず）が押下され、電源ＯＮとなった状態において、制御装置４０は、記憶装置４１に記憶されている加熱部の火力情報を参照し、火力ＯＦＦであるかどうかを判定する（ステップＳ０１１）。ここで、火力ＯＦＦとは、火力が設定されていない状態、または、設定中の火力が内部的に「０」に設定されている状態であり、火力ＯＮとは、設定中の火力が「１」以上に設定されている状態である。
【０１９６】
ステップＳ０１１において、制御装置４０が、火力ＯＦＦであると判定した場合（ステップＳ０１１のＹＥＳ）、再度ステップＳ０１１の処理を行う。一方、制御装置４０が、火力ＯＮであると判定した場合、火力変更処理を行う（ステップＳ０１２）。
【０１９７】
ステップＳ０１２の火力変更処理に関しては、実施の形態１で説明した火力変更処理の例１〜例４のいずれの処理が行われるため、説明を省略する。
【０１９８】
以上、本実施の形態２に係る加熱調理器１００の火力操作表示部５０は、火力ＯＮまたは火力ＯＦＦを切り替える火力入切キー５４を備え、制御装置４０は、火力ＯＦＦの状態において、ユーザーが火力入切キー５４の上面をタップしたことを検知した場合、火力を、あらかじめ設定された値に設定して火力ＯＮの状態とし、火力ＯＮの状態において、ユーザーが火力入切キー５４の上面を指でタップしたことを検知した場合、火力を、設定なしにして火力ＯＦＦの状態とするものである。
【０１９９】
本実施の形態２に係る加熱調理器１００によれば、火力入切キー５４のタップにより、火力ＯＮまたは火力ＯＦＦの切り替えが行われるため、容易に火力ＯＮまたは火力ＯＦＦの切り替えを行うことができる。
【０２００】
また、本実施の形態２に係る加熱調理器１００の火力入切キー５４は、最も弱い火力に対応する火力操作キー５１の隣に、少なくとも一つの火力操作キー５１の幅以上離れた位置に配置されているものである。
【０２０１】
本実施の形態２に係る加熱調理器１００によれば、火力入切キー５４は、最も弱い火力に対応する火力操作キー５１の隣に、少なくとも一つの火力操作キー５１の幅以上離れた位置に配置されているため、火力入切キー５４の誤操作を防止することができる。
【符号の説明】
【０２０２】
１０  上部ユニット、１１  天板、１２  左載置部、１３  右載置部、１４  中央載置部、１７  吸気口、１８  排気口、１９  表示部、２０  下部ユニット、２１  筐体、２２  グリル庫、２５  グリル庫加熱部、２６  左加熱部、２７  右加熱部、２８  中央加熱部、３０  操作部、４０  制御装置、４１  記憶装置、４２  報知部、４４  電源回路、４５  グリル庫加熱部制御回路、４６  左加熱部制御回路、４７  右加熱部制御回路、４８  中央加熱部制御回路、５０  火力操作表示部、５１  火力操作キー、５１ａ〜５１ｂ  火力操作キー、５２  接触検知部、５２ａ〜５２ｂ  接触検知部、５３  火力表示部、５３ａ〜５３ｂ  火力表示部、５４  火力入切キー、５５  空間部、５９  火力操作制御回路、６１  交流電源、１００  加熱調理器。
【図１】
2019090594.tif 000003
【図２】
2019090594.tif 000004
【図３】
2019090594.tif 000005
【図４】
2019090594.tif 000006
【図５】
2019090594.tif 000007
【図６】
2019090594.tif 000008
【図７】
2019090594.tif 000009
【図８】
2019090594.tif 000010
【図９】
2019090594.tif 000011
【図１０】
2019090594.tif 000012
【図１１】
2019090594.tif 000013
【図１２】
2019090594.tif 000014
【図１３】
2019090594.tif 000015
【図１４】
2019090594.tif 000016
【図１５】
2019090594.tif 000017
【図１６】
2019090594.tif 000018
【図１７】
2019090594.tif 000019
【図１８】
2019090594.tif 000020
【図１９】
2019090594.tif 000021
【図２０】
2019090594.tif 000022
【図２１】
2019090594.tif 000023
【図２２】
2019090594.tif 000024
【図２３】
2019090594.tif 000025
【図２４】
2019090594.tif 000026
【図２５】
2019090594.tif 000027
【図２６】
2019090594.tif 000028